(57)【要約】【課題】プライヤやペンチ等の工具によって座金自体を掴んだり、座金を破損したりする行為を防ぐ。【解決手段】座金が、円板形状の台座部と、台座部の外周縁から立ち上がる囲み部とを備え、台座部の中央にビスの軸が挿通可能な開孔を有し、開孔にビスの軸を挿通したときに、台座部と囲み部とによってビスの頭部が収容可能な凹部を形成し、囲み部の外周面が、台座部から遠ざかるにしたがって近づくように傾斜した平面である。【選択図】図１
2012202500.tif 000002
【特許請求の範囲】
【請求項１】
円板形状の台座部と、
該台座部の外周縁から立ち上がる囲み部とを備え、
前記台座部の中央にビスの軸が挿通可能な開孔を有し、
該開孔にビスの軸を挿通したときに、前記台座部と前記囲み部とによって前記ビスの頭部が収容可能な凹部を形成し、
前記囲み部の外周面が、前記台座部から遠ざかるにしたがって近づくように傾斜した平面である、座金。
【請求項２】
請求項１の座金において、前記凹部の深さが前記ビスの頭部の長さよりも大である、座金。
【請求項３】
請求項１又は２の座金において、前記凹部の広さが前記ビスの頭部の座面の面積よりもわずかに大である、座金。
【請求項４】
請求項１乃至３のいずれかの座金において、鉄−炭素−銅−ニッケル系の材質から形成された、座金。
【請求項５】
請求項１乃至４のいずれかの座金において、前記囲み部の外周面の傾斜角度が、前記台座部の下面から約６０度である、座金。
【請求項６】
請求項１乃至５のいずれかの座金と、
前記座金の前記台座部の前記開孔に挿通可能な軸と、該軸の端部に取り付けられていて前記座金の凹部内に収容可能な頭部とを有するビスとを有する、取付具。
【請求項７】
電力等の使用量を計量して表示する電力量計表示部と、
外部からの電力の入力線と建物への電力の供給線とが接続される端子が設けられた端子部と、
該端子部を覆う端子カバーと、
請求項６の取付具とを備え、
前記端子部の雌ねじ孔と前記端子カバーの開孔と前記取付具の座金の開孔とが整列していて、該取付具の前記ビスの軸が、前記座金の開孔から前記端子カバーの開孔を通って前記端子部の雌ねじ孔に挿通され、前記ビスの頭部を回して前記端子カバーが前記端子部に固定されて、前記ビスの頭部が前記座金の凹部内に収容されている、電力量計。
【請求項８】
電力等の使用量を計量して表示する電力量計表示部と、
外部からの電力の入力線と建物への電力の供給線とが接続される端子が設けられた端子部と、
該端子部を覆う端子カバーと、
請求項６の取付具とを備える電力量計の前記端子カバーを前記端子部に固定する固定方法であって、
前記端子部の雌ねじ孔と前記端子カバーの開孔と前記取付具の座金の開孔とを整列し、
前記取付具の前記ビスの軸を、前記座金の開孔から前記端子カバーの開孔を通って前記端子部の雌ねじ孔に挿通し、
前記ビスの頭部を回して締め付けて前記端子カバーを前記端子部に固定すると、前記ビスの頭部が前記座金の凹部内に収容されている、電力量計の前記端子カバーを前記端子部に固定する固定方法。
【発明の詳細な説明】
【技術分野】
【０００１】
本発明は、ある部材を他の部材に固定するためのビスの頭部と被締結部材との間に挟み込む座金に関し、特に、いたずら等によってビスを緩めることを防止する座金に関する。
【背景技術】
【０００２】
例えば、電気、ガス、水道等が供給される居住用、店舗用、工場等の建物には、電気の使用量を示す電力量計が設置されている。電力量計には、外部からの電力の入力線と建物への電力の供給線とが接続されており、建物内での電力の使用量に応じて電力量計の数値が上昇する。電力量計は、定期的に、電気等の供給者の作業員によって検針され、その検針に基づいて、建物内での電力の使用量に応じた料金の算出が行われる。
【０００３】
一方、さまざまな理由により、建物への電力の供給を止める必要が生じることがある。そのときには、電力量計の端子から建物への電力の供給線を外すことによって対応している。ただし、その外した屋内への電力の供給線を誰でもが簡単に電力量計に再度接続できるとすると、その供給停止の目的が達成できなくなる。また、電力量計への外部からの電力の入力線及び建物への電力の供給線が接続される端子に、人が簡単に触れたりすることができると危険である。このため、外部からの電力の入力線と建物への電力の供給線との接続端子には端子カバーを取り付けてあり、さらに、容易に端子カバーを外すことができないようにするために、ビスでその端子カバーを固定している。
【０００４】
しかし、市販の工具、例えば、プラス又はマイナスのネジ回しによって回すことができるビスを用いて端子カバーを固定すると、いたずら等によってビスとともに端子カバーが簡単に外されてしまい、上記の供給停止の目的が達成できなくなったり、安全が阻害されたりすることになる。そのため、その端子カバーを固定するために、市販されていない特殊な工具によって締め付けたり緩めたりすることができるビスを用いている。
【先行技術文献】
【特許文献】
【０００５】
【特許文献１】特開平２００３−２７８７２７号公報  特許文献１は、ビス頭部との間に着脱工具の挿入を規制するための工具規制部が設けられた座金を示す。特許文献１によると、専用の着脱工具を用いるとビスを緩めることができるが、ビス頭部と座金の甲具規制部との間が狭いので、プライヤやペンチ等でビス頭部を掴んで回すことはできない。
【発明の概要】
【発明が解決しようとする課題】
【０００６】
しかし、さらに、プライヤやペンチ等の工具によって座金自体を掴み、座金とともにビスを回してビスを緩めたり、座金を破損したりする行為を防ぐことの要望が強い。
【０００７】
そこで、本発明は、プライヤやペンチ等の工具によって座金自体を掴み、座金とともにビスを回してビスを緩めたり、座金を破損したりする行為を防ぐことが可能な座金を提供することを目的とする。
【課題を解決するための手段】
【０００８】
そこで、本発明に係る座金は、円板形状の台座部と、該台座部の外周縁から立ち上がる囲み部とを備え、前記台座部の中央にビスの軸が挿通可能な開孔を有し、該開孔にビスの軸を挿通したときに、前記台座部と前記囲み部とによって前記ビスの頭部が収容可能な凹部を形成し、前記囲み部の外周面が、前記台座部から遠ざかるにしたがって近づくように傾斜した平面であることを特徴とする。
【０００９】
その座金において、前記凹部の深さが前記ビスの頭部の長さよりも大であってもよい。
【００１０】
その座金において、前記凹部の広さが前記ビスの頭部の座面の面積よりもわずかに大であってもよい。
【００１１】
その座金は、鉄−炭素−銅−ニッケル系の材質から形成されてもよい。
【００１２】
その座金において、前記囲み部の外周面の傾斜角度が、前記台座部の下面から約６０度であってもよい。
【００１３】
また、本発明に係る取付具は、座金と、前記座金の前記台座部の前記開孔に挿通可能な軸と、該軸の端部に取り付けられていて前記座金の凹部内に収容可能な頭部とを有するビスとを有することを特徴とする。
【００１４】
本発明に係る電力量計は、電力等の使用量を計量して表示する電力量計表示部と、外部からの電力の入力線と建物への電力の供給線とが接続される端子が設けられた端子部と、該端子部を覆う端子カバーと、上記の取付具とを備え、前記端子部の雌ねじ孔と前記端子カバーの開孔と前記取付具の座金の開孔とが整列していて、該取付具の前記ビスの軸が、前記座金の開孔から前記端子カバーの開孔を通って前記端子部の雌ねじ孔に挿通され、前記ビスの頭部を回して前記端子カバーが前記端子部に固定されて、前記ビスの頭部が前記座金の凹部内に収容されていることを特徴とする。
【００１５】
また、本発明に係る固定方法は、電力等の使用量を計量して表示する電力量計表示部と、外部からの電力の入力線と建物への電力の供給線とが接続される端子が設けられた端子部と、該端子部を覆う端子カバーと、上記の取付具とを備える電力量計の前記端子カバーを前記端子部に固定する固定方法であって、前記端子部の雌ねじ孔と前記端子カバーの開孔と前記取付具の座金の開孔とを整列し、前記取付具の前記ビスの軸を、前記座金の開孔から前記端子カバーの開孔を通って前記端子部の雌ねじ孔に挿通し、前記ビスの頭部を回して締め付けて前記端子カバーを前記端子部に固定すると、前記ビスの頭部が前記座金の凹部内に収容されている、電力量計の前記端子カバーを前記端子部に固定することを特徴とする。
【発明の効果】
【００１６】
本発明によると、座金自体を掴んで回したり破損したりすることを防ぐ座金を提供することができる。
【図面の簡単な説明】
【００１７】
【図１】図１は、本発明の一実施形態に係る座金を示す斜視図である。
【図２】図２は、図１に示す座金の平面図である。
【図３】図３は、図２の３Ａ−３Ａ線から矢印方向に見た座金の断面図である。
【図４】図４は、図３に示す座金にビスを挿入して部材同士を固定した状態を示す一部断面図である。
【図５】図５は、図４に示すビスの頭部の平面図である。
【図６Ａ】図６Ａは、電力量計の簡略化した構成を示す正面図である。
【図６Ｂ】図６Ｂは、図６Ａに示す電力量計の側面図である。
【発明を実施するための形態】
【００１８】
以下、添付図面を参照しながら、本発明に係る座金について説明する。なお、全図において、各部材の厚さ、長さ、形状、部材同士の間隔、隙間等は、理解の容易のために、適宜、拡大・縮小・変形・簡略化等を行っているため、本発明は図面の形状等に限定されるものではない。図の説明の際の上下・左右の表現は、説明の便宜上、その図を鉛直面内に置いた状態でのその図面の面に沿った方向を表すものとする。また、異なる図面において、同じ部材には同じ参照符号を付し、場合に応じて説明を省略する。
【００１９】
［座金の構成］
図１は、本発明の一実施形態に係る座金１０の斜視図で、図２は、座金１０の平面図で、図３は、図２の３Ａ−３Ａ線から見た座金１０の断面図である。
【００２０】
座金１０は、例えば、鉄−炭素−銅−ニッケル系の材質からなり、表面を浸炭焼入処理した高硬度のもので、概略円板状の台座部１１とその周縁から立ち上がった囲み部１２とを備える。
【００２１】
台座部１１は、囲み部１２と一体に形成されていて、上面１１ａと下面１１ｂとを有する。囲み部１２は、上方が近づくように傾斜した外周面１２ａと、台座部１１の上面１１ａが底面となるような凹部１３を形成する内周面１２ｂと、内周面１２ｂと外周面１２ａとを連結する頂面１２ｃとを備える。台座部１１の下面１１ｂの外周縁と、囲み部１２の外周面１２ａの下側縁とが接する位置には、狭い平面部分２１ｄが形成されている。
【００２２】
また、台座部１１の中心には、開孔１４が形成されており、この開孔１４には、図４に示すビス４０の軸４５が挿通される。
【００２３】
座金１０の各部分の寸法の概略は次のとおりである。台座部１１の円形の下面１１ｂの直径（座金１０の直径）は約１８ｍｍ、上面１１ａの直径は約１１ｍｍ、上面１１ａと下面１１ｂとの間の距離（台座部１１の厚さ）は約１ｍｍ、開孔１４の直径は約４ｍｍである。囲み部１２の傾斜した外周面１２ａの上縁によって形成される円形の頂面１２ｃの直径は約１４ｍｍ、凹部１３の直径は約１１ｍｍ、凹部１３の深さは約３ｍｍである。台座部１１の下面１１ｂから外周面１２ａまでの角度は約６０度である。また、台座部１１の下面１１ｂから囲み部１２の頂面１２ｃまでの距離（座金１０の高さ）は約４ｍｍである。
【００２４】
囲み部１２の傾斜した外周面１２ａは、平面の斜面である。この傾斜角度は、上記のとおり、約６０度であるが、これは一例であり、座金１０をビスの頭部と被締結部材との間に装着したときに、座金１０をペンチやプライヤ等の工具によって掴んだり、座金１０の縁からマイナスドライバをこじ入れたりすることが困難であるような角度であれば、他の傾斜角度であってもよい。また、外周面１２ａは平面であることが望ましいが、ペンチやプライヤ等の工具によって掴んだりすることができない程度であれば、多少の湾曲があってもよい。
【００２５】
また、座金１０は、例えば、電力量計の端子カバーを固定するために用いる場合には、座金１０が電力量計の端子カバーの縁から突出しない程度の直径の大きさを有する必要がある。
【００２６】
さらに、凹部１３の深さは、望ましくは、ビスの頭部の高さより大きいが、座金１０とビスの頭部との隙間からマイナスドライバをこじ入れたりすることが困難であれば、ビスの頭部の高さより小さくてもよい。
【００２７】
［座金の使用態様］
図４は、図３に示す座金１０にビス４０を挿入した状態を示す一部断面図であり、図５は、図４に示すビス４０の平面図である。図６Ａは、電力量計６０の簡略化した構成を示す正面図であり、図６Ｂは、電力量計６０の側面図である。
【００２８】
図４及び図５に示すように、ビス４０は、頭部４１と軸４５とからなる。軸４５は、ねじ山及びねじ溝が形成されたねじ部４５ｓを有する。ビス４０の頭部４１は、概略トラス形状で、上面４２が平らである。上面４２には、角が丸められた三角形状の溝４２ｂが形成され、さらに、中央に、突起４２ａが形成されている。このようなビスを回すための工具は、その三角形状の溝４２ｂに嵌るような、角が丸められた三角形状の突出部を有し、中央に、突起４２ａが挿入される凹部が形成されている（図示せず）。
【００２９】
図６Ａ及び図６Ｂに示すように、電力量計６０は、電力量計表示部６２と端子部５６とを備える。電力量計表示部６２は、ガラス等の透明ケースで囲まれていて、建物での電力の使用に応じて計量を行ってその計量値を表示する窓を有する。端子部５６は、図示していないが、外部からの電力の入力線と建物への電力の供給線とが接続される端子が設けられている。その前面に端子カバー５２が座金１０を介してビス４０によって固定されている。
【００３０】
図４に基づいて、電力量計の端子台５６に端子カバー５２を固定する場合を説明する。端子台５６と端子カバー５２との間の空間５４には、図示せぬ外部からの電力の入力線が接続される端子と建物への電力の供給線が接続される端子とが収容されている。
【００３１】
まず、端子台５６に端子カバー５２を被せて、端子台５６の雌ねじ孔５６ｓと端子カバー５２の孔５２ｈとを整列させ、さらに、座金１０の開孔１４が端子カバー５２の孔５２ｈと整列するように、座金１０を端子カバー５２の上に置く。次に、ビス４０をねじ先から座金１０の開孔１４を通って端子台５６の雌ねじ孔５６ｓまで挿入する。次に、専用工具を用いて、ビス４０を回して締め付けて端子カバー５２を端子台５６に固定する。この状態を図４、図６Ａ及び図６Ｂに示す。
【００３２】
いたずらの場合、まず、図６Ａ及び図６Ｂに示すビス４０を回して外そうとするが、ビス４０の上面４２の特殊な形状の溝４２ａと係合する専用工具がないため、ビス４０の頭部をペンチやプライヤ等の工具で挟んで回すことを試みることが予測される。
【００３３】
しかし、この場合には、図４に示すように、ビス４０の頭部４１が、座金１０の凹部１３に入り込んでいて、囲み部１２の頂面１２ｃから出ていないため、ペンチやプライヤ等の工具で頭部４１を掴むことはできない。
【００３４】
次に、マイナスドライバをビス４０の頭部４１と座金１０との間に差しこんで、ビス４０を座金１０から持ち上げようとすることが予測される。
【００３５】
この場合には、ビス４０の頭部４１の外周縁と座金１０の囲み部１２の内面１２ｂまでの隙間は小さいため、ビス４０の頭部４１の間にマイナスドライバの先端を差し込むこともできない。
【００３６】
次に、座金１０自体をペンチやプライヤ等の工具で掴んで、座金自体を回転させようとしたり、マイナスドライバを座金１０の台座部１１の下面１１ｂと端子カバー５２との間に差しこんで、座金１０又は端子カバー５２を変形させて、ビス４０の頭部４１を座金１０の囲み部１２の凹部１３から露出させようとしたりすることが予測される。
【００３７】
この場合には、囲み部１２の傾斜した外周面１２ａをペンチやプライヤ等の工具で掴むことは困難である。また、座金１０の台座部１１の下面１１ｂが端子カバー５２に密着しているためそれらの間にマイナスドライバの先端を挿入するのも困難である。さらに、囲み部１２の傾斜した外周面１２ａ上をマイナスドライバの先端が滑ってしまうことになる。
【００３８】
以上のように、本発明に係る座金を用いると、囲み部１２の傾斜した外周面１２ａによって、座金自体をペンチやプライヤ等の工具で掴むことやマイナスドライバの先端を引っ掛けたりすることは困難であるため、いたずらを防止する効果は高い。
【００３９】
上記の実施形態では、座金は円板形状のものであるが、三角形状、四角形状、他多角形状のものであってもよい。
【００４０】
以上、本発明に係る座金の一実施形態について説明したが、本発明はそれらの実施形態に拘束されるものではなく、当業者が容易になしえる追加、削除、改変等は、本発明に含まれるものであり、また、本発明の技術的範囲は、添付の特許請求の範囲の記載によって定められることを承知されたい。
【符号の説明】
【００４１】
１０・・・座金
１１・・・台座部
１１ａ・・・上面
１１ｂ・・・下面
１２・・・囲み部
１２ａ・・・外周面
１２ｂ・・・内周面
１２ｃ・・・頂面
１３・・・凹部
１４・・・開孔
４０・・・ビス
４１・・・ビスの頭部
４２・・・上面
４２ａ・・・突起
４２ｂ・・・溝
４５・・・軸
【図１】
2012202500.tif 000003
【図２】
2012202500.tif 000004
【図３】
2012202500.tif 000005
【図４】
2012202500.tif 000006
【図５】
2012202500.tif 000007
【図６Ａ】
2012202500.tif 000008
【図６Ｂ】
2012202500.tif 000009